(57)【要約】【課題】計測対象物に対する取付位置が高所であっても、計測者が温度及び圧力の指示面を視認し易い温圧計を得る。【解決手段】ブルドン管５の上下方向Ａ２が感温圧力導入部９の回転軸部７の軸方向Ａ１に対して反時計回りに４０度乃至５０度の範囲内の角度で傾斜する如く、ブルドン管５を傾斜させてブルドン管傾斜支持部１２を備え、指示盤２をその上下方向Ａ３が感温圧力導入部９の回転軸部７の軸方向Ａ１に対してブルドン管５と同一の方向に同一の角度で傾斜する如く傾斜させ、温度用指針駆動軸Ｘ１及び圧力用指針駆動軸Ｘ２をそれらの軸方向Ｘがブルドン管５と反対の方向に同一の角度で傾斜する如く傾斜させる。【選択図】図１
0003133073.tif 000002
【実用新案登録請求の範囲】
【請求項１】
ケースと、温度及び圧力の指示盤と、該指示盤を貫通し、同一軸心上に設けられた温度用指針駆動軸及び圧力用指針駆動軸と、該指示盤の指示面側に設けられ、該温度用指針駆動軸及び該圧力用指針駆動軸にそれぞれ接続された温度用指針及び圧力用指針と、該指示盤の背面側に設けられ、該圧力用指針駆動軸に動力伝達部材を介して動力を与えるブルドン管と、感温動作部及びその動作によって回転して該温度用指針駆動軸に動力を与えるための回転軸部を有すると共に、該ブルドン管内に圧力を導入するための圧力導入路を有する感温圧力導入部と、該感温圧力導入部の圧力導入路と該ブルドン管内を連通させる連通路と、該温度用指針駆動軸と該感温圧力導入部の回転軸部を連結し、該温度用指針駆動軸に該感温圧力導入部の回転軸部の動力を伝達する可撓性動力伝達部材とを備えた温圧計であって、
該ブルドン管の上下方向が該感温圧力導入部の回転軸部の軸方向に対して反時計回りに４０度乃至５０度の範囲内の角度で傾斜する如く、該ブルドン管を傾斜させて支持するブルドン管傾斜支持部を更に備え、
該指示盤をその上下方向が該感温圧力導入部の回転軸部の軸方向に対して該ブルドン管と同一の方向に同一の角度で傾斜する如く傾斜させ、該温度用指針駆動軸及び該圧力用指針駆動軸をそれらの軸方向が該ブルドン管と反対の方向に同一の角度で傾斜する如く傾斜させたことを特徴とする温圧計、である。
【請求項２】
該ブルドン管傾斜支持部は、該感温圧力導入部に設けられるものであることを特徴とする請求項１記載の温圧計。
【請求項３】
該ブルドン管傾斜支持部は、該ケースに設けられるものであることを特徴とする請求項１記載の温圧計。
【請求項４】
該ブルドン管傾斜支持部による該ブルドン管の傾斜の角度は４５度であることを特徴とする請求項１乃至３の何れかに記載の温圧計。
【請求項５】
該ケースは樹脂製であることを特徴とする請求項１乃至４の何れかに記載の温圧計。
【考案の詳細な説明】
【技術分野】
【０００１】
この考案は、各種流体の温度及び圧力を計測することができる温度計兼圧力計である温圧計に関する。
【背景技術】
【０００２】
この種の温圧計には、計測対象物の温度及び圧力の取り出し口に対して、水平方向に取り付けられるものと、垂直方向に取り付けられるものとが存在する。従来の温圧計は、水平方向に取り付けられる取り付けられるものも、水平方向に取り付けられるものも、何れも、温度及び圧力の指示盤を垂直に立てて、即ちその指示面を水平方向に向けて取り付けられる様構成されていた（例えば、特許文献１参照）。
【０００３】
【特許文献１】実開昭４９−１７２７８号公報
【考案の開示】
【考案が解決しようとする課題】
【０００４】
従来の温圧計は、温度及び圧力の指示面を水平方向に向けて取り付けられるものであるので、計測対象物に対する取付位置が高所である場合、計測者にとっては指示面が視認し難いという問題がある。
【０００５】
この考案は、前記の事情に鑑み、計測対象物に対する取付位置が高所であっても、計測者が温度及び圧力の指示面を視認し易い温圧計を提供することを目的とする。
【課題を解決するための手段】
【０００６】
前記の目的を達成するこの考案について述べれば、次の通りである。
【０００７】
ケースと、温度及び圧力の指示盤と、該指示盤を貫通し、同一軸心上に設けられた温度用指針駆動軸及び圧力用指針駆動軸と、該指示盤の指示面側に設けられ、該温度用指針駆動軸及び該圧力用指針駆動軸にそれぞれ接続された温度用指針及び圧力用指針と、該指示盤の背面側に設けられ、該圧力用指針駆動軸に動力伝達部材を介して動力を与えるブルドン管と、感温動作部及びその動作によって回転して該温度用指針駆動軸に動力を与えるための回転軸部を有すると共に、該ブルドン管内に圧力を導入するための圧力導入路を有する感温圧力導入部と、該感温圧力導入部の圧力導入路と該ブルドン管内を連通させる連通路と、該温度用指針駆動軸と該感温圧力導入部の回転軸部を連結し、該温度用指針駆動軸に該感温圧力導入部の回転軸部の動力を伝達する可撓性動力伝達部材とを備えた温圧計であって、該ブルドン管の上下方向が該感温圧力導入部の回転軸部の軸方向に対して反時計回りに４０度乃至５０度の範囲内の角度で傾斜する如く、該ブルドン管を傾斜させて支持するブルドン管傾斜支持部を更に備え、該指示盤をその上下方向が該感温圧力導入部の回転軸部の軸方向に対して該ブルドン管と同一の方向に同一の角度で傾斜する如く傾斜させ、該温度用指針駆動軸及び該圧力用指針駆動軸をそれらの軸方向が該ブルドン管と反対の方向に同一の角度で傾斜する如く傾斜させたことを特徴とする温圧計である。
【０００８】
又、前記の温圧計であって、該ブルドン管傾斜支持部は、該感温圧力導入部に設けられるものであることを特徴とする温圧計である。
【０００９】
又、前記の温圧計であって、該ブルドン管傾斜支持部は、該ケースに設けられるものであることを特徴とする温圧計である。
【００１０】
又、前記の温圧計であって、該ブルドン管傾斜支持部による該ブルドン管の傾斜の角度が４５度であることを特徴とする温圧計である。
【００１１】
又、前記の温圧計であって、該ケースは樹脂製であることを特徴とする温圧計である。
【考案の効果】
【００１２】
この考案においては、その感温圧力導入部を計測対象物の温度及び圧力取出口に水平方向に挿入して取り付けると、その指示面は、水平方向より４０度乃至５０度の範囲の傾斜角度、例えば４５度の傾斜角度で下方に傾斜することとなる。
【００１３】
従って、この考案によれば、計測対象物に対する取付位置が高所であっても、計測者が温度及び圧力の指示面を視認し易い温圧計を得ることができる。
【００１４】
更に、この考案においては、ケースを樹脂製としているので、該ケースによって主要な動作部を保護することができる共に、結露の発生を防止することができる。
【考案を実施するための最良の形態】
【００１５】
この考案の実施の形態を図１乃至５に基づき説明する。尚、図１は、この考案の第１の実施の形態の温圧計の感温圧力導入部に保護管が装着された状態における側断面図であり、図２は、同上の温圧計の保護管を取り外した状態における側面図であり、図３は、同上の温圧計の温度用指針及び圧力用指針並びに指示盤の正面図であり、図４は、この考案の第２の実施の形態の温圧計の図１と同様の状態における側断面図であり、図５は、この考案の温圧計が測定対象物に取り付けられた際の状態を示す説明図である。
【００１６】
先ず、この考案の温圧計の第１の実施の形態を図１乃至３に基づき説明する。図１乃至３に示す様に、温圧計１は、温度及び圧力の目盛が記された指示盤２と、指示盤２を貫通し、同一軸心上に設けられた温度用指針駆動軸Ｘ１及び圧力用指針駆動軸Ｘ２と、指示盤２の指示面２ａ側に設けられ、温度用指針駆動軸Ｘ１及び圧力用指針駆動軸Ｘ２にそれぞれ接続された温度用指針３及び圧力用指針４と、指示盤２の指示面２ａの背面側に設けられ、圧力用指針駆動軸Ｘ２に動力伝達部材５ａを介して動力を与えるブルドン管５と、感温動作部の一例である弦巻状バイメタル６及びその感温変形による動作によって回転して温度用指針駆動軸Ｘ１に動力を与えるための回転軸部７を有すると共に、ブルドン管５内に圧力を導入するための圧力導入路８を有する感温圧力導入部９と、感温圧力導入部９の圧力導入路８とブルドン管５内を連通させる連通路１０と、温度用指針駆動軸Ｘ１と感温圧力導入部９の回転軸部７を連結し、温度用指針駆動軸Ｘ１に感温圧力導入部９の回転軸部７の動力を伝達する可撓性動力伝達部材の一例である連結バネ１１とを備えている。
【００１７】
そして、温圧計１は、ブルドン管５の上下方向に沿う線Ａ２が感温圧力導入部９の回転軸部７の軸方向Ａ１に対して反時計回りに４５度の角度θ１で傾斜する如く、ブルドン管５を傾斜させて感温圧力導入部９の基部９ａに支持し、内部に連通路１０を有するブルドン管傾斜支持部１２を更に備えており、それにより、指示盤２はその上下方向に沿う線Ａ３が感温圧力導入部９の回転軸部７の軸方向Ａ１に対してブルドン管５と同一の方向、即ち反時計周りの方向に、同一の角度、即ち４５度の角度θ２で傾斜する如く傾斜し、温度用指針駆動軸Ｘ１及び圧力用指針駆動軸Ｘ２はそれらに共通の軸方向Ｘがブルドン管５と反対の方向、即ち時計回りの方向に、同一の角度、即ち４５度の角度θ３で傾斜する如く傾斜している。ここで、ブルドン管５としては、傾斜させて使用しても精度が低下することがない様に、弾性変形の小さいものを用いている。
【００１８】
尚、１３は、温度用指針３及び圧力用指針４から感温圧力導入部９の基部９ａに至るまでを収容する樹脂製のケースであり、１４は、透明板１４ａと共に、指示盤２の表面側からケース１３に被せられて装着されるカバーである。１５は、感温圧力導入部９のバイメタル６が設けられる先端側の外周に隙間を介して装着される保護管であり、１６は、保護管の先端に設けられた流入口１６ａを有する逆止弁部であり、１７は、保護管の基部外周に設けられ、計測対象物の温度及び圧力取出口のネジ部と螺合して、温圧計１を計測対象物に取り付けるためのネジ部であり、１８は、感温圧力導入部９の外周に装着され、その外周のネジ部が該保護管１５の基端側内周のネジ部と螺合して保護管１５を感温圧力導入部９に固定するためのナットである。
【００１９】
次に、この考案の温圧計の第２の実施の形態を図４に基づき説明する。尚、第１の実施の形態と同様の構成については、同一図面符号を付してその説明を省略する。図４に示す様に、第２の実施の形態はブルドン管５の傾斜支持の構造が第１の実施の形態とは異なる。即ち、第２の実施の形態は、ブルドン管傾斜支持部１９をケース１３に設けている。
【００２０】
具体的には、第２の実施の形態において、ケース１３は、温度用指針３及び圧力用指針４、指示盤２、ブルドン管５等を収容する第１のケース１３−１と、第１のケース１３−１に後方に配され、動力伝達バネ１１、感温圧力導入部９の基部９ａ等を収容する第２のケース１３−２とからなり、その第１のケース１３−１の基底部によって構成される隔壁部１３−１ａに立設されて、ブルドン管傾斜支持部１９は設けられている。尚、１０Ａは、感温圧力導入部９の圧力導入路８とブルドン管５内を連通させる連通路を構成するチューブである。
【００２１】
そして、このブルドン管傾斜支持部１９によって、第２の実施の形態においても、ブルドン管５の上下方向に沿う線Ａ２が感温圧力導入部９の回転軸部７の軸方向Ａ１に対して反時計回りに４５度の角度θ１で傾斜する如くブルドン管５は傾斜し、それにより、指示盤２はその上下方向に沿う線Ａ３が感温圧力導入部９の回転軸部７の軸方向Ａ１に対してブルドン管５と同一の方向、即ち反時計周りの方向に、同一の角度、即ち４５度の角度θ２で傾斜する如く傾斜し、温度用指針駆動軸Ｘ１及び圧力用指針駆動軸Ｘ２はそれらに共通の軸方向Ｘがブルドン管５と反対の方向、即ち時計回りの方向に、同一の角度、即ち４５度の角度θ３で傾斜する如く傾斜している。
【００２２】
この考案の温圧計１においては、第１の実施の形態又は第２の実施の形態に示した様なブルドン管５、指示盤２及び温度用指針駆動軸Ｘ１及び圧力用指針駆動軸Ｘ２等の傾斜支持構造を備えていることで、図５に示す様に、温圧計１をその感温圧力導入部９を計測対象物の一例である配管２０の温度及び圧力取出口２０ａに水平方向に挿入して取り付けると、指示盤２の指示面２ａは水平方向より４５度の傾斜角度で斜め下方Ａ４に傾斜することとなり、その取付位置が高所であっても、指示面２ａは計測者の視線Ａ５と向き合うこととなる。
【００２３】
従って、この考案の温圧計１によれば、計測対象物に対する取付位置が高所であっても、計測者にとって、温度及び圧力の指示面２ａの視認は容易である。
【００２４】
又、この考案の温圧計１においては、温度用指針３及び圧力用指針４から感温圧力導入部９の基部に至るまでを収容する樹脂製のケース１３を備えていることで、温圧計１における主要な動作部部分を保護することができると共に、ケース１３自身の結露を防ぐこともできる。
【００２５】
尚、この考案の温圧計１は、感温圧力導入部９を計測対象物の温度及び圧力取出口に垂直方向に挿入して取り付けることもできるものであるが、その場合、指示盤２の指示面２ａは水平方向より４５度の傾斜角度で斜め上方に傾斜することとなる。しかし、その場合でも、温圧計１の取付位置が低所であれば、計測者にとって、指示面２ａの視認は容易である。
【図面の簡単な説明】
【００２６】
【図１】この考案の第１の実施の形態の温圧計の感温圧力導入部に保護管が装着された状態における側断面図である。
【図２】同上の温圧計の保護管を取り外した状態における側面図である。
【図３】同上の温圧計の温度用指針及び圧力用指針並びに指示盤の正面図である。
【図４】同上の第２の実施の形態の温圧計の図１と同様の状態における側断面図である。
【図５】この考案の温圧計が測定対象物に取り付けられた際の状態を示す説明図である。
【符号の説明】
【００２７】
１          温圧計
２          指示盤
２ａ        指示面
３          温度用指針
４          圧力用指針
５          ブルドン管
５ａ        動力伝達部材
６          バイメタル
７          回転軸部
８          圧力導入路
９          感温圧力導入部
９ａ        基部
１０        連通路
１０Ａ      チューブ（第２の実施の形態）
１１        動力伝達バネ
１２        ブルドン管傾斜支持部（第１の実施の形態）
１３        ケース
１３−１    第１のケース（第２の実施の形態）
１３−２    第２のケース（第２の実施の形態）
１３−１ａ  隔壁部（第２の実施の形態）
１４        カバー
１４ａ      透明板
１５        保護管
１６        逆止弁部
１６ａ      流入口
１７        ネジ部
１８          ナット
１９        ブルドン管傾斜支持部（第２の実施の形態）
Ｘ１        温度用指針駆動軸
Ｘ２        圧力用指針駆動軸
【図１】
0003133073.tif 000003
【図２】
0003133073.tif 000004
【図３】
0003133073.tif 000005
【図４】
0003133073.tif 000006
【図５】
0003133073.tif 000007